(57)【要約】【課題】軟包装袋に特段の部材を設けることなく容易に接続可能な接続具を具備する包装袋セットを提供する。【解決手段】包装袋と接続具とを具備する包装袋セットであって、包装袋は、収納部と、注出部と、切断除去部とを備え、接続具は、注出部に差し込み可能であり、前記包装袋の内部と外部とを連通させる連通孔が設けられた差込部材と、差込部材の外周面を取り囲んだ状態で差込部材に固定される外巻部材とを備え、外巻部材の内周面の少なくとも一部は、当該一部に対向する差込部材の外周面に対応する形状に形成されており、差込部材が、包装袋の注出部に差し込まれた状態で、外巻部材の内周面と差込部材の外周面とで包装袋を挟み込んで包装袋を固定する。【選択図】図１
2020072971.tif 000002
【特許請求の範囲】
【請求項１】
軟包材からなり、内部に液状またはゲル状の収納物を収納する包装袋と、前記収納物を外部へと排出する接続具とを具備する包装袋セットであって、
前記包装袋は、
前記収納物を収納する収納部と、
前記収納部の内部に収納された前記収納物を前記包装袋の外部へと導く注出部と、
前記包装袋の開封時に前記注出部の一部を横断する切断位置で切断除去される切断除去部とを備え、
前記接続具は、
前記注出部に差し込み可能であり、前記包装袋の内部と外部とを連通させる連通孔が設けられた差込部材と、
前記差込部材の外周面を取り囲んだ状態で前記差込部材に固定される外巻部材とを備え、
前記外巻部材の内周面の少なくとも一部は、当該一部に対向する前記差込部材の外周面に対応する形状に形成されており、
前記差込部材が、前記包装袋の前記注出部に差し込まれた状態で、前記外巻部材の内周面と前記差込部材の外周面とで前記包装袋を挟み込んで前記包装袋を固定する、包装袋セット。
【請求項２】
前記外巻部材は、
半円筒形状の一対の分割体と、
前記一対の分割体が円筒形を構成する閉状態と、前記一対の分割体が前記円筒形の中心軸と平行な回転軸を中心として開いた開状態との間で開閉自在となるように前記一対の分割体を接続するヒンジと、
前記外巻部材が前記差込部材を取り囲んで円筒状を構成した状態で前記一対の分割体を固定するロック部とを有することを特徴とする、請求項１に記載の包装袋セット。
【請求項３】
前記外巻部材には、前記差込部材が前記注出部に差し込まれ、かつ、前記ロック部が前記一対の分割体を固定して円筒形状となった状態において、前記包装袋の一部が挿入される一対のスリットが設けられており、
前記スリットの一方は、前記一対の分割体の前記回転軸に沿って、前記外巻部材が前記差込部材に取り付けられたときに前記差込部材の前記注出部に差し込まれる側に位置する前記外巻部材の一方端から所定範囲に設けられ、
前記スリットの他方は、前記円筒形の中心軸に対して前記回転軸と対称となる軸に沿って、前記外巻部材の前記一方端から所定範囲に設けられることを特徴とする、請求項２に記載の包装袋セット。
【請求項４】
前記外巻部材の内面に滑り止め素材が用いられていることを特徴とする、請求項１から３のいずれか１項に記載の包装袋セット。
【請求項５】
前記包装袋の前記切断位置にハーフカットが設けられていることを特徴とする、請求項１から４のいずれか１項に記載の包装袋セット。
【発明の詳細な説明】
【技術分野】
【０００１】
本発明は、包装袋セットに関し、特に、軟包材からなり、内部に液状またはゲル状の収納物を包装する包装袋と、収納物を外部に排出する接続具とを具備する包装袋セットに関するものである。
【背景技術】
【０００２】
病院などで患者などに経口あるいは経腸により栄養剤や医薬品、流動食などを投与するとき、これらを胃や腸に挿入したチューブを通して投与することがある。また、輸液などを点滴するときにも、チューブを通して中空針から輸液などを患者の体内に送り込むことがある。
【０００３】
このような患者に投与する栄養剤や医薬品などは容器に充填されていて、容器を吊り下げて、容器の下端よりチューブを通して栄養剤や医薬品などを流出させて投与されている。このような容器とチューブとを接続するために、容器にはスパウト部材等の部材が設けられていた。
【０００４】
また、容器においても従来はガラス瓶やプラスチックボトルが用いられていたが、最近では軟包装袋が用いられる様になってきた。しかし、軟包装袋においても、スパウト部材等の部材が設けられていた。
【０００５】
例えば、特許文献１の「経管投与剤用接続具」においては、フィルムにより製袋された経管投与剤容器に液密にスパウト部材が接合されていて、このスパウト部材に係脱可能に経管投与剤用接続具が接続され、経管投与剤をチューブに導入する様になっている。
【０００６】
このように投与剤を収納する軟包装袋にスパウト部材等の部材を設けるには、軟包装袋の製造に当たって加工工程が増え、また、スパウト部材等の部材を用意しなければならないなどコストアップや製造時間が長くなるなどの問題がある。さらに、製造後の保管や輸送のためのスペースが必要となるなどコストアップの要因になる。
【先行技術文献】
【特許文献】
【０００７】
【特許文献１】実開平７−３１０５９号公報
【発明の概要】
【発明が解決しようとする課題】
【０００８】
本発明は上記のような事情に鑑みてなされたもので、軟包装袋に特段の部材を設けることなく容易に接続可能な接続具を具備する包装袋セットを提供することを目的とする。
【課題を解決するための手段】
【０００９】
本発明は係る課題に鑑みなされたものであり、軟包材からなり、内部に液状またはゲル状の収納物を収納する包装袋と、収納物を外部へと排出する接続具とを具備する包装袋セットであって、包装袋は、収納物を収納する収納部と、収納部の内部に収納された収納物を包装袋の外部へと導く注出部と、包装袋の開封時に注出部の一部を横断する切断位置で切断除去される切断除去部とを備え、接続具は、注出部に差し込み可能であり、包装袋の内部と外部とを連通させる連通孔が設けられた差込部材と、差込部材の外周面を取り囲んだ状態で差込部材に固定される外巻部材とを備え、外巻部材の内周面の少なくとも一部は、当該一部に対向する差込部材の外周面に対応する形状に形成されており、差込部材が、包装袋の注出部に差し込まれた状態で、外巻部材の内周面と差込部材の外周面とで包装袋を挟み込んで包装袋を固定する。
【００１０】
また、外巻部材は、半円筒形状の一対の分割体と、一対の分割体が円筒形を構成する閉状態と、一対の分割体が円筒形の中心軸と平行な回転軸を中心として開いた開状態との間で開閉自在となるように一対の分割体を接続するヒンジと、外巻部材が差込部材を取り囲んで円筒状を構成した状態で一対の分割体を固定するロック部とを有してもよい。
【００１１】
また、外巻部材には、差込部材が注出部に差し込まれ、かつ、ロック部が一対の分割体を固定して円筒形状となった状態において、包装袋の一部が挿入される一対のスリットが設けられており、スリットの一方は、一対の分割体の回転軸に沿って、外巻部材が差込部材に取り付けられたときに差込部材の注出部に差し込まれる側に位置する外巻部材の一方端から所定範囲に設けられ、スリットの他方は、円筒形の中心軸に対して回転軸と対称となる軸に沿って、外巻部材の一方端から所定範囲に設けられてもよい。
【００１２】
また、外巻部材の内面に滑り止め素材が用いられていてもよい。
【００１３】
また、包装袋の切断位置にハーフカットが設けられていてもよい。
【発明の効果】
【００１４】
本発明によれば、軟包装袋に特段の部材を設けることなく容易に接続可能な接続具を具備する包装袋セットを実現できる。
【図面の簡単な説明】
【００１５】
【図１】実施形態に係る包装袋セットの使用状態を示す図
【図２】実施形態に係る包装袋の平面図
【図３】実施形態に係る接続具の斜視図
【図４】図３に示す接続具の側面図
【図５】実施形態に係る接続具の外巻部材を開いた状態を示す正面図
【図６】図５に示す接続具の外巻部材を開いた状態を示す側面図
【図７】図３に示す切断線Ｂ−Ｂに沿う断面図
【図８】実施形態に係る包装袋に接続具を取り付ける過程を示す図
【図９】図１に示す破線で囲まれたＡ部分の拡大図
【発明を実施するための形態】
【００１６】
以下、本発明を実施するための形態について説明する。図１は、実施形態に係る包装袋セットの使用状態を示す図である。図１に示すように、実施形態に係る包装袋セット１は、軟包材からなり、内部に液状またはゲル状の収納物を収納する包装袋１００と、包装袋１００とチューブ２０４とを接続し、包装袋１００に収納された収納物をチューブ２０４へと排出する接続具２００とを具備する。液状またはゲル状の収納物としては、例えば、栄養剤や医薬品、輸液、流動食などが挙げられるが、これらに限定されない。
【００１７】
（包装体の構成）
まず、包装袋１００について説明する。図２は、実施形態に係る包装袋の平面図である。図２に示すように、実施形態に係る包装袋１００は、収納物を収納する収納部１１９と、収納部１１９に接続され、収納部１１９の内部に収納された収納物を収納部１１９の外部へと導く注出部１２０と、包装袋１００の開封時に注出部１２０の一部を横断する切断位置で切断除去される切断除去部１２３とを備える。
【００１８】
包装袋１００は、互いに重ね合わせた２枚のシートの周囲をヒートシールしたパウチにより構成される。より具体的には、図２に示すように、２枚のシートにおける、シール部１１１、１１２、１１３、１１４、１１５、１１６、１１７及び１１８がそれぞれヒートシールされている。尚、本実施形態では２枚のシートを用いてシートの周囲全体をヒートシールしているが、１枚のシートを折り曲げ、折り曲げた一辺以外の周縁部分をヒートシールしてもよい。
【００１９】
収納部１１９は、上端に向かって幅が狭まる形状である。注出部１２０は、収納部１１９の上端の最も幅が狭まった部分に接続され、幅が一定の未シール部よりなる。
【００２０】
注出部１２０の収納部１１９と反対側の先端部付近のシール部１１６、１１７には、切断除去部１２３を切断除去する際の切っ掛けとなる一対のノッチ部が形成されている。また、一対のノッチ部を結ぶ線に沿って注出部１２０を横断するように易切断線１２１が設けられている。これにより、切断除去部１２３をノッチ部を切っ掛けに易切断線１２１に沿って切断除去することができる。易切断線１２１は、シートの外側からハーフカット加工などの傷加工を施して設けることができるが、これに限定されない。また、シートの延伸方向と一対のノッチ部を結ぶ方向とを一致させてもよい。この場合、易切断線１２１は設けなくてもよい。また、切断除去部１２３を易切断線１２１に沿って切断除去し易いように、シール部１１８は摘み部として手指で摘まめる十分な大きさに形成されることが好ましい。切断除去部１２３を切断除去することで、注出部１２０に開口が形成される。
【００２１】
また、シール部１１１には、吊下げ用孔１２２が設けられていて、フックなどの吊下げ具に掛けて包装袋１００を吊下げられるようになっている。
【００２２】
包装袋１００に用いられるシートには、軟包材であって、ヒートシールが可能な樹脂製の単層フィルムまたは積層フィルムを利用することができるが、基材フィルムとシーラント層とからなる積層フィルムであることが好ましい。単層フィルムとしては、低密度ポリエチレンの無延伸フィルムが好適に用いられる。
【００２３】
積層フィルムの基材フィルムとしては、２軸延伸樹脂フィルムが好ましく用いられ、樹脂としては、ポリプロピレン、ナイロン、ポリエステルなどが好ましく用いられる。また、バリア性を考慮して、積層フィルムに無機酸化物蒸着層を設けても良い。これらは組み合わせて多層の基材フィルムとしても良い。
【００２４】
シーラント層には酸化防止剤の添加されていない低密度ポリエチレンが好ましく用いられる。
【００２５】
包装袋１００の製袋は、通常のパウチなどを製袋する製袋機で行うことができる。通常のパウチの製袋と同様にヒートシール及び裁断を行うが、このとき、包装袋１００に収納する収納物の充填口として、シール部１１１を未シール部として残しておく。尚、未シール部は、シール部１１１以外のシール部１１２、１１３などの内の一箇所であってもよい。また、吊下げ用孔１２２の形成は、シートの裁断と同時または別工程により行う。
【００２６】
次に、製袋された包装袋１００に、未シール部にして残した充填口より収納物を充填し、未シール部をシールする。収納物の充填は無菌充填包装で行うのが好ましい。また、収納物の充填後、レトルト殺菌やオートクレーブ滅菌などにより、殺菌、滅菌してもよい。これにより、収納物が収納された包装袋１００を得ることができる。
【００２７】
（接続具の構成）
次に、接続具２００について図３〜図７を用いて説明する。図３は、実施形態に係る接続具の斜視図であり、図４は、図３に示す接続具の側面図であり、図５は、実施形態に係る接続具の外巻部材を開いた状態を示す正面図であり、図６は、図５に示す接続具の外巻部材を開いた状態を示す側面図であり、図７は、図３に示す切断線Ｂ−Ｂに沿う断面図である。
【００２８】
接続具２００は、図３〜図７に示すように、外巻部材２０１と、差込部材２０３とを備える。尚、後述のように、外巻部材２０１は、差込部材２０３の外周面を取り囲んだ状態で差込部材２０３に固定される。
【００２９】
差込部材２０３は、図３〜図５に示すように、一方部２１０（図３における上端部）側から他方部２１１（図３における下端部）側に向かって径が小さくなる略円錐形状を有する。差込部材２０３の一方部２１０がチューブ２０４に接続され、他方部２１１が包装袋１００の切断除去部１２３を除去した後の注出部１２０に差し込み可能である。差込部材２０３には、図５及び図７に示すように、外面の一部とチューブ２０４とを連通させる連通孔２０７が設けられ、包装袋１００に収納された収納物をチューブ２０４に排出することができる。本実施形態において、連通孔２０７は、差込部材２０３の一方部２１０でチューブ２０４と接続し、他方部２１１に向かって径が大きくなり、差込部材２０３の中央部付近で２つに分岐している。分岐した連通孔２０７は、それぞれ差込部材２０３の外面に開口部を形成し、差込部材２０３の外面において他方部２１１側に向かう溝を形成している。差込部材２０３の外面に溝を形成することで、ゲル状の内容物であっても溝に沿って容易に開口部に流入させることができる。
【００３０】
外巻部材２０１は、図３〜図６に示すように、円筒形状を半円筒形状に分割した形状である一対の分割体２０２と、一対の分割体２０２を接続するヒンジ２０５と、一対の分割体２０２が円筒状を構成した状態で固定するロック部２０６とを有する。
【００３１】
一対の分割体２０２は、ヒンジ２０５を中心に開閉自在である。より詳細には、一対の分割体２０２が円筒形状を構成する閉状態（図３、図４）と、一対の分割体２０２が閉状態における円筒形の中心軸と平行な回転軸であるヒンジ２０５を中心に開いた開状態（図５、図６）との間で開閉可能である。つまり、一対の分割体２０２は、一対の分割体２０２の一方の分割線２１２（図４における左端部分）の端縁に設けられたヒンジ２０５の回転軸を中心として、一対の分割体２０２の他方の分割線２１３（図４における右端部分）の端縁が離れる方向に回転することで開状態となり、ヒンジ２０５の回転軸を中心として、一対の分割体２０２の分割線２１３の端縁が近づく方向に回転して円筒形を構成することで閉状態となる。
【００３２】
ロック部２０６は、係合片２０６ａと係合片２０６ｂとからなり、一対の分割体２０２の分割線２１３の近傍にそれぞれ設けられている。本実施形態では、係合片２０６ａは、一対の分割体２０２の一方に設けられた凸状の部材であり、係合片２０６ｂは、一対の分割体２０２の他方に設けられ、上記凸状の部材が嵌合可能な貫通孔を有する部材である。一対の分割体２０２は、係合片２０６ｂに設けられた貫通孔に係合片２０６ａの凸部が内側から挿入されて、円筒状を構成した状態でロックされるようになっている。
【００３３】
図３に示すように、一対の分割体２０２が閉状態となりロック部２０６によりロックされた状態においては、係合片２０６ａ、２０６ｂの下方から外巻部材２０１の下端部（図３における下端部分）までスリット２０８が形成されている。また、図３では図示されていないが、係合片２０６ａ、２０６ｂの下方と同様に、ヒンジ２０５の下方からヒンジ２０５の回転軸に沿って外巻部材２０１の下端部までスリット２０８が形成されている。図５、図６に示すように、この一対のスリット２０８は、一対の分割体２０２それぞれの係合片２０６ａ、２０６ｂの下方及びヒンジ２０５の下方に設けられた切欠きが、一対の分割体２０２が閉状態となることで形成されるものである。つまり、一対の分割体２０２の閉状態において、スリット２０８の一方は、一対の分割体２０２の回転軸に沿って、外巻部材２０１の下端部から所定範囲に設けられ、スリット２０８の他方は、一対の分割体２０２の閉状態における円筒形の中心軸に対してヒンジ２０５の回転軸と対称となる軸に沿って、外巻部材２０１の下端部から所定範囲に設けられる。このため、詳細は後述するが、包装袋１００の注出部１２０に差込部材２０３を差し込んで、かつ、ロック部２０６が一対の分割体２０２を固定した閉状態において、包装袋１００の周縁部が上記一対のスリット２０８に入るようにすることができるため、包装袋１００の周縁部が邪魔にならない。
【００３４】
また、外巻部材２０１には、外巻部材２０１の閉状態において差込部材２０３の外周面に対向する内周面に、滑り止め素材が用いられている。滑り止め素材としては、シリコーンゴムなどのゴム弾性物質が用いられる。
【００３５】
図７に示すように、外巻部材２０１が差込部材２０３に固定された状態において、外巻部材２０１の内周面の一部は、当該一部に対向する差込部材２０３の外周面に沿う様に、一定のクリアランスを持って差込部材２０３の外周面に対応する形状に形成されている。外巻部材２０１の内周面と差込部材２０３の外周面とのクリアランスは、包装袋１００のシート１枚の厚さ以下である。
【００３６】
差込部材２０３には、一方部２１０の外周縁に外側に向かって突出するフランジ部２０９が設けられている。また、外巻部材２０１には、差込部材２０３のフランジ部２０９が嵌合可能な溝部が設けられ、外巻部材２０１の上端部分は差込部材２０３のフランジ部２０９の上端を越えて設けられる。また、外巻部材２０１の溝部より下方の部分の厚みは外巻部材２０１の下端部に向かって増加するように形成されている。外巻部材２０１の溝部に差込部材２０３のフランジ部２０９が嵌合することにより、外巻部材２０１は差込部材２０３のフランジ部２０９を取り囲んだ状態で差込部材２０３に固定される。
【００３７】
本実施形態では、差込部材２０３は、熱可塑性樹脂を用いて一体で成型され、外巻部材２０１も、熱可塑性樹脂を用いて一体で成型されている。差込部材２０３と外巻部材２０１とは外巻部材２０１のヒンジ２０５の近傍で溶着等により接合されている。尚、差込部材２０３と外巻部材２０１とは、溶着等で接合されていなくてもよい。また、差込部材２０３と外巻部材２０１とが一体で成型されていてもよい。また、チューブ２０４は成型された差込部材２０３に熱融着などで取り付けられる。また、外巻部材２０１の内周面に設けられた滑り止め素材は、外巻部材２０１に用いられる熱可塑性樹脂と滑り止め素材に用いられるゴム弾性物質とを二色成形などにより一体に成型される。
【００３８】
（包装袋セットの使用方法）
次に、本発明に係る包装袋セットの使用方法について、図８及び図９を用いて、図１、図２、図５、図６を併せて参照しながら説明する。図８は、実施形態に係る包装袋に接続具を取り付ける過程を示す図であり、図９は、図１に示す破線で囲まれたＡ部分の拡大図である。
【００３９】
まず、図２に示す切断除去部１２３が切断除去されていない未開封状態の包装袋１００に対して、切断除去部１２３をノッチ部を切っ掛けに易切断線１２１に沿って切断除去することで包装袋１００の注出部１２０に開口を形成する。次に、図５、図６のように外巻部材２０１の一対の分割体２０２を開いた状態で、差込部材２０３の他方部２１１を、包装袋１００の注出部１２０に形成された開口部に図８のように差し込む。尚、本実施形態と異なり差込部材２０３と外巻部材２０１とが接合されていない場合には、差込部材２０３及び外巻部材２０１を図５及び図６に示すように配置した後に差込部材２０３の他方部２１１を注出部１２０に形成された開口部に差し込んでもよいし、差込部材２０３の他方部２１１を注出部１２０に形成された開口部に差し込んだ後に外巻部材２０１を図８に示すように配置してもよい。
【００４０】
次に、係合片２０６ａと係合片２０６ｂとを係合させてロックして、接続具２００に包装袋１００を固定する。このとき、上述した様に、係合片２０６ａ、２０６ｂの下方、および、ヒンジ２０５の下方にはスリット２０８が形成されるため、外巻部材２０１の一対の分割体２０２を閉じても、包装袋１００のシール部１１４、１１５、１１６、１１７が、このスリットに入り込み、外巻部材２０１の外部に出るため邪魔にならない。次に、図１に示すように、軟包装袋１００の吊下げ用孔１２２を上にして（図示しない）吊下げ具に引っ掛ける。
【００４１】
このようにしても、図９に示すように、外巻部材２０１の内周面の一部が略円錐形状の差込部材２０３の外周面に対応する形状に形成され、かつ、外巻部材２０１の内周面と差込部材２０３の外周面とのクリアランスが包装袋１００のシート１枚の厚さ以下であることにより、差込部材２０３の外周面と包装袋１００の注出部１２０の内面との間の摩擦力により差込部材２０３は包装袋１００から抜け難くなり、かつ、外巻部材２０１の内周面に設けられた滑り止め素材により包装袋１００の注出部部分は外巻部材２０１の内周面との間でズレ難くなる。そのため、差込部材２０３の外周面と外巻部材２０１の内周面との間に包装袋１００の注出部１２０が挟まれ固定され、その結果、差込部材２０３が包装袋１００の注出部１２０から抜けたり外れたりすることがほとんどない。
【００４２】
吊下げ用孔１２２を上にして吊下げ具に引っ掛けることで、包装袋１００に収納されていた収納物が、自重によって、注出部１２０から接続具２００の連通孔２０７を通ってチューブ２０４の中空部に流れ込む。そして、チューブ２０４を通して内容物が排出される。
【００４３】
以上のように、本発明の包装袋セットの構成によれば、収納物を収納した包装袋にスパウト部材等の特段の部材を設けることなく容易に接続可能で、包装袋の収納物をチューブに流出させすることが可能である。また、包装袋の注出部を接続具に固定する際に、包装袋の注出部への差込部材の差し込み及び外巻部材のロックを一連の動作で容易に行うことができるため、片手で接続具を取り扱うことができる。また、包装袋に直接接続具を取り付けることができるので誤接続の恐れもなく、接続具の接続後は接続具が包装袋から誤って外れる恐れもほとんどない。
【００４４】
尚、本実施の形態では、外巻部材２０１は、半円筒形の一対の分割体であって、閉状態では一対の分割体が円筒形を構成するものとして説明したが、一対の分割体の形状はこれに限定されず、例えば、半角筒状の一対の分割体であって、閉状態では一対の分割体が角筒形を構成してもよい。
【００４５】
また、本実施の形態では、外巻部材２０３に設けられたロック部２０６は、凸状の部材と当該凸状の部材が嵌合可能な貫通孔を有する部材とから構成されるものとして説明したが、ロック部の構成はこれに限定されず、一対の分割体がロックされて固定されるものであればよい。
【００４６】
また、本実施の形態では、差込部材２０３の連通孔２０７が２つに分岐する構成として説明したが、連通孔は、分岐せずに差込部材の外面に開口部を１つ形成するものでもよいし、３つ以上の任意の数に分岐するものでもよい。
【００４７】
また、本実施の形態では、差込部材２０３のフランジ部２０９が外巻部材２０１の溝部に嵌合することで外巻部材２０１が差込部材２０３に固定されるものとして説明したが、外巻部材が差込部材に固定される方法はこれに限定されず、外巻部材が差込部材の一方部に固定される構成であればよい。
【産業上の利用可能性】
【００４８】
本発明における包装袋セットは、経口あるいは経腸により栄養剤や医薬品、輸液、流動食などを投与するための包装袋と接続具とのセットなどとして好適に用いられる。
【符号の説明】
【００４９】
１・・・包装袋セット
１００・・・軟包装袋
１１１〜１１８・・・シール部
１１９・・・収納部
１２０・・・注出部
１２１・・・易切断線
１２２・・・吊下げ用孔
１２３・・・切断除去部
２００・・・接続具
２０１・・・外巻部材
２０２・・・一対の分割体
２０３・・・差込部材
２０４・・・チューブ
２０５・・・ヒンジ
２０６・・・ロック部
２０６ａ、２０６ｂ・・・係合片
２０７・・・連通孔
２０８・・・一対のスリット
２０９・・・フランジ部
２１０・・・差込部材の一方部
２１１・・・差込部材の他方部
２１２、２１３・・・分割線
【図１】
2020072971.tif 000003
【図２】
2020072971.tif 000004
【図３】
2020072971.tif 000005
【図４】
2020072971.tif 000006
【図５】
2020072971.tif 000007
【図６】
2020072971.tif 000008
【図７】
2020072971.tif 000009
【図８】
2020072971.tif 000010
【図９】
2020072971.tif 000011